(57)【要約】【課題】従来の記憶媒体は、水分、温度、埃、物理的圧力などの外的影響によって情報を破損、損失してしまうため、医療情報等を常時身に付けて携帯し、緊急時に役立てる事が出来なかった。【解決手段】記憶媒体を防水、防塵、耐熱、耐圧機能を持つ防護ケースに入れることにより、日常生活はもちろん、戦場や工事現場のような危険な職場、事故、火災、災害などでも迅速で適切な治療に必要な医療情報などを医師、看護婦に認識してもらえる状態で常時携帯できる。【選択図】図１
2006260495.tif 000002
【特許請求の範囲】
【請求項１】
アルミニウム、チタンなどの金属、もしくは強化プラスチックなど軽量で強度に優れた素材を使用し、耐圧とすることにより、戦争、災害、事故などの過酷な条件下でも記憶媒体の種類によらず外的影響から情報内容の破損、喪失を防げる外装を持っことを特徴とする携帯型記憶媒体防護ケースである。
【請求項２】
前記携帯型記憶媒体ケースはスクリューダウン、パッキング、断熱材や中空層断熱などを施し、もしくは記憶媒体の種類、形状によっては基盤部分をラミネートやシリコンなどで密封することにより外部からの影響に対し防水性、防塵性、耐熱性を持つ構造を特徴とし、常時、身に付けて携帯でき、情報の破損、喪失を防ぐ請求項１記載の携帯型記憶媒体防護ケースである。
【発明の詳細な説明】
【技術分野】
【０００１】  この発明は、記憶媒体用防護ケースの防護構造および形状に関する。
【背景技術】
【０００２】  携帯型記憶媒体を救急医療用のＩＤタグとして使用する際、血液型、アレルギー、薬物適応性、接種中の薬剤、持病、疾患履歴、被治療歴、ドナー登録などカルテ作成及び救急治療に必要な医療情報と名前、住所、緊急連絡先、国民健康保険証情報、加入保険会社名などの重要な個人医療情報が記載されているが、戦場や集中豪雨、地震、台風、津波、雪崩などの天災、火災、事故などの状況下で、記憶媒体に十分な強度、耐久性がないために情報が破損、喪失するという問題がある。外部からの影響により情報を破損、喪失しやすく携帯性に乏しいため、津波や地震による大量の被害者が出た際も、迅速で的確な救命措置や本人確認が困難となり症状の悪化や伝染病などの二次災害も生じている。子供、老人、痴呆症患者、心臓疾患患者、高血圧、旅行者、激しいスポーツをする人や戦場、工事現場などの危険な場所で就労する人が、医療情報を常時携帯できず、救急医療に役立たないのが現状である。
【発明の開示】
【発明が解決しようとする課題】
【０００３】  以上の技術では大切な情報を破損、喪失してしまい、戦争、災害、事故などでは携帯していても必要時に役に立たない。そこで、図１、３に示すように記憶媒体を、防護ケースで保護する事により、日常生活はもちろん、過酷な条件下でも常時携帯が可能で緊急時でも記憶媒体の情報を失わずに使用できるものである。
この発明は、大切な情報をファイルした記憶媒体を、さまざまな外的影響から防護し、いつも携帯できる防護ケースを提供することを課題とする。
【課題を解決するための手段】
【０００４】  以上の課題を解決するために、第一発明は、防護ケースの外装素材の強度により物理的圧力に対しての耐圧、耐久性を持ち記憶媒体を防護することを特徴とする情報記憶媒体用の携帯型防護ケースである。
第二発明は、ラミネート、シリコン、スクリューダウン、パッキング等による防水、防塵と中空層もしくは断熱材による耐熱構造で、常時身体に携帯できることを特徴とする情報記憶媒体用の携帯型防護ケースである。
【発明の効果】
【０００５】  第一発明または第二発明による素材と構造により、防護ケースに携帯性と耐久性を持たせ、ケース内の記憶媒体の情報を保護する事ができる。
【発明を実施するための最良の形態】
【０００６】  この発明の一実施形態を、図１に示す。
首や手首に付けられる鎖が付き、ここでは一例として米国で使用され、容易に救急医療用情報と判るパラメディックのシンボルを施している。【０００７】「実施形態の効果」
この実施形態によれば、水泳、雨などによる水分、汗による湿気や、風呂、気温による温度、戦場や工事現場、自然災害による粉塵、交通事故などの外部からの物理的圧力から記憶媒体を防護できる。【０００８】「他の実施形態」
図１の実施形態では直接コンピューターに接続できるコネクターを持つ記憶媒体を対象とする仕様になっているが、他の実施形態である図３，４では形状、大きさの違う、記憶媒体にも対応する。
【産業上の利用可能性】
【０００９】医療用として事故、災害時はもちろん、子供、老人、心臓疾患患者、高血圧、痴呆症、旅行者、緊急治療時、および軍人、自衛官、消防士、警察官、パイロットや工事現場、職業運転手など危険な職業従事者、マラソン、ジョギング、スキー、登山、水泳などスポーツをする人にも非常に有効である。
緊急の医療用以外にも記憶媒体に顔写真、指紋、ＤＮＡ情報、ドナー登録情報、遺言、家族へのメッセージなどをファイルし、防護ケースに入れて常時携帯することができる。
【図面の簡単な説明】
【００１０】
【図１】この発明の一実施形態を示す斜視図である。
【図２】この発明の一実施形態を示す断面図である。
【図３】この発明の他の実施形態を示す斜視図である。
【図４】この発明の他の実施形態を示す斜視図である。
【図５】この発明の他の実施形態を示す断面図である。
【図６】この発明の他の実施形態を示す一部の断面図である。
【図７】この発明の他の実施形態を示す一部の断面図である。
【図８】この発明の他の実施形態を示す一部の側面図である。
【符号の説明】
【００１１】  １  外装防護ケース
アルミ、チタン等の金属もしくは強化プラスティック等の外装ケース
２  パッキング
ゴム、シリコン、プラスティック等のＯリングパッキングによる防水
３  スクリューダウン式防水
４  コネクター
コンピューター等への接続コネクター
５  キャップ
１と同素材外装ケースのキャップ部分
６  外装防護ケース断面
７  断熱材もしくは中空層断熱断面
ウレタン、スポンジフォーム等の断熱材もしくは中空層断熱
８  内装防護ケース断面
金属、プラスティック、セラミック等の保護ケース
９  スクリューダウンリング断面
上下で逆回転スクリュー
１０  コネクター
コンピューターへの接続コネクター
１１  コネクター保護キャップ内部ケース
１２  キャップ内部中空層断熱もしくは断熱材
７と同様
１３  メモリー（記憶媒体）本体
ラミネート、シリコン等で基盤を包みメモリー本体の防水
１４  外装防護ケースのキャップ部分
アルミ、チタン等の金属もしくは強化プラスティック等の外装ケース
１５  ストッパー
１６  外装防護ケース
アルミ、チタン等の金属もしくは強化プラスティック等の外装ケース
１７  パッキング
ゴム、シリコン、プラスティック等のパッキングによる防水
１８  緊急医療のシンボルマーク
ここでは一例として米国のパラメディックのシンボルを使用
１９  メモリー（記憶媒体）本体
２０  キャップ開封時のストッパー
２１  外装防護ケースのキャップ部分断面
２２  内装防護ケース内部壁面
金属、プラスティック、セラミック等の保護ケースまたは断熱材
２３  メモリー（記憶媒体）本体
防護ケースの収まった状態のメモリー（記憶媒体）本体
２４  パッキング断面
２５  外装防護ケース断面
アルミ、チタン等の金属もしくは強化プラスティック等の外装ケース
２６  内装防護ケース断面
金属、プラスティック、セラミック等の保護ケースまたは断熱材
２７  スイング式ストッパー断面
２８  ネジ式ストッパー断面
２９  ネジ穴断面
３０  折れピン式ストッパー
３１  本体、キャップの折れピン用貫通坑
【図１】
2006260495.tif 000003
【図２】
2006260495.tif 000004
【図３】
2006260495.tif 000005
【図４】
2006260495.tif 000006
【図５】
2006260495.tif 000007
【図６】
2006260495.tif 000008
【図７】
2006260495.tif 000009
【図８】
2006260495.tif 000010
【手続補正書】
【提出日】平成17年3月18日(2005.3.18)
【手続補正１】
【補正対象書類名】図面
【補正対象項目名】図９
【補正方法】追加
【補正の内容】
【図９】
2006260495.tif 000011
【手続補正書】
【提出日】平成17年5月13日(2005.5.13)
【手続補正１】
【補正対象書類名】手続補正書
【補正対象項目名】手続補正２
【補正方法】追加
【補正の内容】
【手続補正２】
【補正対象書類名】明細書
【補正対象項目名】００１０
【補正方法】変更
【補正の内容】
【００１０】
【図１】この発明の一実施形態を示す斜視図である。
【図２】この発明の一実施形態を示す断面図である。
【図３】この発明の他の実施形態を示す斜視図である。
【図４】この発明の他の実施形態を示す斜視図である。
【図５】この発明の他の実施形態を示す断面図である。
【図６】この発明の他の実施形態を示す一部の断面図である。
【図７】この発明の他の実施形態を示す一部の断面図である。
【図８】この発明の他の実施形態を示す一部の側面図である。
【図９】この発明の他の実施形態を示す斜視図である。